(57)【要約】【課題】多様なマッサージを使用者に提供することに貢献するマッサージ機操作プログラム、マッサージ機用操作器、マッサージ機、およびマッサージシステムを提供する。【解決手段】操作器２０は、表示部２１および物理入力部３０を有する。表示部２１は、マッサージコース５０を形成する複数の揉み玉のマッサージステップ６０を表示する。操作器２０は、物理入力部３０の操作に応答して、既存の揉み玉のマッサージステップ６０に対する設定内容の変更および新規揉み玉のマッサージステップ６０の作成をおこなう。【選択図】図５
2014104178.tif 000002
【特許請求の範囲】
【請求項１】
マッサージ機用操作器が実行するマッサージ機操作プログラムであって、
前記マッサージ機用操作器は、表示部および編集部を有し、
前記マッサージ機操作プログラムは、マッサージコースを形成する複数のマッサージステップを前記表示部に表示させる表示ステップと、前記マッサージコースの構成単位として前記マッサージステップの少なくとも１つを前記編集部に編集させる編集ステップとを含み、
前記マッサージステップは、マッサージ情報を含み、
前記マッサージ情報は、少なくともマッサージ形態およびマッサージ位置に関する情報を含む
マッサージ機操作プログラム。
【請求項２】
前記表示ステップは、前記マッサージコースを形成する全ての前記マッサージステップを前記表示部に表示させる
請求項１に記載のマッサージ機操作プログラム。
【請求項３】
前記表示ステップは、前記マッサージステップと前記マッサージ情報とを対応させて前記表示部に表示させる
請求項１または２に記載のマッサージ機操作プログラム。
【請求項４】
前記マッサージ機は、揉み玉を有し、
前記表示ステップは、前記揉み玉のマッサージ形態、前記揉み玉のマッサージ位置、前記揉み玉のマッサージ強さ、前記揉み玉のマッサージ時間、前記揉み玉のマッサージ回数、前記揉み玉のマッサージ速度、前記揉み玉の温熱付与形態、および前記揉み玉のたたきマッサージ形態の少なくとも１つを前記表示部に表示させ、
前記編集ステップは、前記揉み玉のマッサージ形態、前記揉み玉のマッサージ位置、前記揉み玉のマッサージ強さ、前記揉み玉のマッサージ時間、前記揉み玉のマッサージ回数、前記揉み玉のマッサージ速度、前記揉み玉の温熱付与形態、および前記揉み玉のたたきマッサージ形態の少なくとも１つを前記編集部に編集させる
請求項１〜３のいずれか一項に記載のマッサージ機操作プログラム。
【請求項５】
前記マッサージ機は、空気袋を有し、
前記編集ステップは、前記空気袋のマッサージ形態、前記空気袋のマッサージ位置、前記空気袋のマッサージ強さ、前記空気袋のマッサージ時間、前記空気袋のマッサージ回数、および前記空気袋のマッサージ速度の少なくとも１つを前記編集部に編集させる
請求項１〜４のいずれか一項に記載のマッサージ機操作プログラム。
【請求項６】
前記編集ステップは、前記マッサージコースにおける前記マッサージステップの実行順序を入れ替えるステップ、前記マッサージコースを形成する前記マッサージステップを前記マッサージコースから削除するステップ、および前記マッサージコースに新しいマッサージステップを追加するステップの少なくとも１つを前記編集部に実行させる
請求項１〜５のいずれか一項に記載のマッサージ機操作プログラム。
【請求項７】
前記表示ステップは、前記揉み玉が前記マッサージコースに応じて動作しているとき、実行中の前記マッサージステップよりも後の実行順序のマッサージステップの少なくとも１つを前記表示部に表示させる
請求項４〜６のいずれか一項に記載のマッサージ機操作プログラム。
【請求項８】
前記表示ステップは、前記空気袋が前記マッサージコースに応じて動作しているとき、実行中の前記マッサージステップよりも後の実行順序のマッサージステップを前記表示部に表示させる
請求項５〜７のいずれか一項に記載のマッサージ機操作プログラム。
【請求項９】
マッサージ機用操作器であって、
前記マッサージ機用操作器は、入力部、表示部、編集部、および請求項１〜７のいずれか一項に記載のマッサージ機操作プログラムを有する
マッサージ機用操作器。
【請求項１０】
前記マッサージ機であって、
前記マッサージ機は、請求項９に記載のマッサージ機用操作器を有する
マッサージ機。
【請求項１１】
前記マッサージ機用操作器は、携帯型電子情報端末の形態を有し、前記入力部、前記表示部、前記編集部、および前記マッサージ機操作プログラムに加えて通信部を有し、
前記入力部は、タッチ操作機能および音声認識機能の少なくとも一方を有し、
前記通信部は、前記マッサージ機の受信部との通信機能を有する
請求項９に記載のマッサージ機用操作器。
【請求項１２】
前記マッサージ機用操作器は、通信部を有し、
前記通信部は、サーバーに対する前記マッサージコースのデータのアップロードおよび前記マッサージコースのデータのダウンロードの少なくとも一方を行う
請求項９に記載のマッサージ機用操作器。
【請求項１３】
マッサージシステムであって、
請求項１〜９のいずれか一項に記載のマッサージ機と、
請求項１１または１２に記載のマッサージ機用操作器を有する
マッサージシステム。
【発明の詳細な説明】
【技術分野】
【０００１】
本発明は、マッサージ機操作プログラム、このプログラムを有するマッサージ機用操作器、この操作器を有するマッサージ機、およびこのマッサージ機を有するマッサージシステムに関する。
【背景技術】
【０００２】
従来のマッサージ機は、入力部、制御部、および記憶部を有する。記憶部は、初期値として複数のマッサージコースを記憶している。マッサージコースは、複数のマッサージ形態が記載される。制御部は、使用者による入力部の操作に応じて、マッサージコースにおける複数のマッサージ形態に関する複数の項目を変更する機能を有する。制御部は、例えば、マッサージ形態におけるマッサージ位置、マッサージの強さ、およびマッサージ時間を変更する。記憶部は、制御部により変更されたマッサージコースの内容を記憶する。なお、特許文献１は、従来のマッサージ機の一例を開示している。
【先行技術文献】
【特許文献】
【０００３】
【特許文献１】特開２００６−２６３２６９号公報
【発明の概要】
【発明が解決しようとする課題】
【０００４】
従来のマッサージ機は、複数のマッサージステップより実行される複数のマッサージ形態における相互の関係を使用者に提供することを意図していない。このため、使用者は、１個のマッサージ形態における複数の項目の内容を変更するにあたり、他のマッサージステップでのマッサージ形態との関連性を意識しにくい。このため、従来のマッサージ機においては、マッサージコースの内容を変更する機能が十分に活用されないおそれがある。このため、使用者に対して多様なマッサージを提供する点において改善の余地が残されている。
【０００５】
本発明は、以上の背景をもとに創作されたものであり、多様なマッサージを使用者に提供することに貢献するマッサージ機操作プログラム、マッサージ機用操作器、マッサージ機、およびマッサージシステムを提供することを目的とする。
【課題を解決するための手段】
【０００６】
（１）第１の手段は、「マッサージ機用操作器が実行するマッサージ機操作プログラムであって、前記マッサージ機用操作器は、表示部および編集部を有し、前記マッサージ機操作プログラムは、マッサージコースを形成するマッサージステップのうち複数のマッサージステップを前記表示部に表示させる表示ステップと、前記マッサージコースの構成単位として前記マッサージステップの少なくとも１つを前記編集部に編集させる編集ステップとを含み、前記マッサージステップは、マッサージ情報を含み、前記マッサージ情報は、少なくともマッサージ形態およびマッサージ位置に関する情報を含むマッサージ機操作プログラム」を含む。
【０００７】
（２）第２の手段は、「前記表示ステップは、前記マッサージコースを形成する全ての前記マッサージステップを表示部に表示させるマッサージ機操作プログラム」を含む。
（３）第３の手段は、「前記表示ステップは、前記マッサージステップと前記マッサージ情報とを対応させて前記表示部に表示させるマッサージ機操作プログラム」を含む。
【０００８】
（４）第４の手段は、「前記マッサージ機は、揉み玉を有し、前記表示ステップは、前記揉み玉のマッサージ形態、前記揉み玉のマッサージ位置、前記揉み玉のマッサージ強さ、前記揉み玉のマッサージ時間、前記揉み玉のマッサージ回数、前記揉み玉のマッサージ速度、前記揉み玉の温熱付与形態、および前記揉み玉のたたきマッサージ形態の少なくとも１つを前記表示部に表示させ、前記編集ステップは、前記揉み玉のマッサージ形態、前記揉み玉のマッサージ位置、前記揉み玉のマッサージ強さ、前記揉み玉のマッサージ時間、前記揉み玉のマッサージ回数、前記揉み玉のマッサージ速度、前記揉み玉の温熱付与形態、および前記揉み玉のたたきマッサージ形態の少なくとも１つを前記編集部に編集させるマッサージ機操作プログラム」を含む。
【０００９】
（５）第５の手段は、「前記マッサージ機は、空気袋を有し、前記編集ステップは、前記空気袋のマッサージ形態、前記空気袋のマッサージ位置、前記空気袋のマッサージ強さ、前記空気袋のマッサージ時間、前記空気袋のマッサージ回数、および前記空気袋のマッサージ速度の少なくとも１つを前記編集部に編集させるマッサージ機操作プログラム」を含む。
【００１０】
（６）第６の手段は、「前記編集ステップは、前記マッサージコースにおける前記マッサージステップの実行順序を入れ替えるステップ、前記マッサージコースを形成する前記マッサージステップを前記マッサージコースから削除するステップ、および前記マッサージコースに新しいマッサージステップを追加するステップの少なくとも１つを前記編集部に実行させるマッサージ機操作プログラム」を含む。
【００１１】
（７）第７の手段は、「前記表示ステップは、前記揉み玉が前記マッサージコースに応じて動作しているとき、実行中の前記マッサージステップよりも後の実行順序のマッサージステップの少なくとも１つを前記表示部に表示させるマッサージ機操作プログラム」を含む。
【００１２】
（８）第８の手段は、「前記表示ステップは、前記空気袋が前記マッサージコースに応じて動作しているとき、実行中の前記マッサージステップよりも後の実行順序のマッサージステップを前記表示部に表示させるマッサージ機操作プログラム」を含む。
【００１３】
（９）第９の手段は、「マッサージ機用操作器であって、前記マッサージ機用操作器は、入力部、表示部、編集部、および前記マッサージ機操作プログラムを有するマッサージ機用操作器」を含む。
【００１４】
（１０）第１０の手段は、「前記マッサージ機であって、前記マッサージ機は、前記マッサージ機用操作器を有するマッサージ機」を含む。
（１１）第１１の手段は、「前記マッサージ機用操作器は、携帯型電子情報端末の形態を有し、前記入力部、前記表示部、前記編集部、および前記マッサージ機操作プログラムに加えて通信部を有し、前記入力部は、タッチ操作機能および音声認識機能の少なくとも一方を有し、前記通信部は、前記マッサージ機の受信部との通信機能を有するマッサージ機用操作器」を含む。
【００１５】
（１２）第１２の手段は、「前記マッサージ機用操作器は、通信部を有し、通信部は、サーバーに対する前記マッサージコースのデータのアップロードおよび前記マッサージコースのデータのダウンロードの少なくとも一方を行うマッサージ機用操作器」を含む。
【００１６】
（１３）第１３の手段は、「マッサージシステムであって、前記マッサージ機と、前記マッサージ機用操作器を有するマッサージシステム」を含む。
【発明の効果】
【００１７】
本マッサージ機操作プログラム、本マッサージ機用操作器、本マッサージ機、および本マッサージシステムは、多様なマッサージを使用者１２０に提供することを可能とする。
【図面の簡単な説明】
【００１８】
【図１】第１実施形態のマッサージ機の斜視図。
【図２】第１実施形態のマッサージ機における操作器に関する図であり、（ａ）はマッサージコースのマッサージステップ構成図、（ｂ）は揉み玉のマッサージステップのフィールド構成図。
【図３】第１実施形態のマッサージ機における操作器の概略構成および表示部の表示内容。
【図４】第１実施形態のマッサージ機における操作器のブロック構成図。
【図５】第１実施形態のマッサージ機における操作器の全ステップ表示時の表示内容。
【図６】第１実施形態のマッサージコースのステップ構成図であり、（ａ）は、変更前のマッサージコース、（ｂ）は変更後のマッサージコース。
【図７】第１実施形態におけるマッサージコースのマッサージステップ構成図であり、（ａ）は、変更前のマッサージコース、（ｂ）は変更時のプルダウンメニューを含むマッサージコース。
【図８】第１実施形態におけるマッサージコース編集処理のステップ図。
【図９】第２実施形態のマッサージ機における操作器に関する図であり、（ａ）は揉み玉のマッサージステップのフィールド構成図、（ｂ）は揉み玉のマッサージステップの（ａ）とは異なるフィールド構成図、（ｃ）は揉み玉のマッサージステップの（ａ）および（ｂ）とは異なるフィールド構成図。
【図１０】第３実施形態のマッサージ機における操作器に関する図であり、（ａ）は空気袋のマッサージステップのフィールド構成図、（ｂ）は空気袋のマッサージステップの（ａ）とは異なるフィールド構成図。
【図１１】第３実施形態における揉み玉のマッサージステップおよび空気袋マッサージステップを有するマッサージコースのステップ図。
【図１２】第３実施形態における操作器の揉み玉のマッサージステップおよび図１１とは異なる空気袋マッサージステップを有するマッサージコースのステップ図。
【図１３】第３実施形態における操作器の表示内容。
【図１４】第４実施形態におけるマッサージコースのステップ構成図であり、（ａ）は変更前のマッサージコース、（ｂ）は変更時の第２プルダウンメニューを含むマッサージコース、（ｃ）は変更時の第３プルダウンメニューを含むマッサージコース。
【図１５】第４実施形態におけるマッサージコースのステップ構成図であり、（ａ）は変更前のマッサージコース、（ｂ）は変更時の第２プルダウンメニューを含むマッサージコース、（ｃ）は削除操作後のマッサージコース。
【図１６】第４実施形態におけるマッサージコースのステップ構成図であり、（ａ）は変更前のマッサージコース、（ｂ）は変更時の第２プルダウンメニューを含むマッサージコース、（ｃ）は順番変更操作後のマッサージコース。
【図１７】第５実施形態におけるマッサージコースのステップ構成図であり、（ａ）はマッサージ実行時のマッサージコース、（ｂ）は変更時の第４プルダウンメニューを含むマッサージコース。
【図１８】第６実施形態のマッサージ機および携帯型電子情報端末の構成図。
【図１９】第６実施形態における携帯型電子情報端末のブロック構成図。
【図２０】第６実施形態における携帯型電子情報端末のマッサージ位置指定画面の表示内容。
【図２１】第６実施形態における携帯型電子情報端末のマッサージ形態の一覧の表示内容。
【図２２】第６実施形態における携帯型電子情報端末のマッサージ強さおよび回数設定時の表示内容。
【図２３】第６実施形態における携帯型電子情報端末の表示内容に関する図であり、（ａ）は実行順序変更前のマッサージコース、（ｂ）は実行順序の変更操作画面、（ｃ）は実行順序変更操作後のマッサージコース。
【図２４】第６実施形態の携帯型電子情報端末の表示内容に関する図であり、（ａ）はマッサージ位置変更前のマッサージコース、（ｂ）は変更時のマッサージ位置指定画面、（ｃ）はマッサージ位置変更後のマッサージコース。
【図２５】その他の実施携帯における操作器の概略構成図。
【図２６】その他の実施形態における操作器の概略構成および表示部の表示内容。
【図２７】その他の実施形態における携帯型電子情報端末のマッサージ強さ設定時の表示内容。
【図２８】その他の実施形態における携帯型電子情報端末のマッサージ回数設定時の表示内容。
【図２９】その他の実施形態における携帯型電子情報端末のマッサージ回数設定時の表示内容。
【図３０】その他の実施形態における携帯型電子情報端末のマッサージ位置設定時の表示内容。
【発明を実施するための形態】
【００１９】
（第１実施形態）
図１を参照して、マッサージ機１の構成について説明する。
マッサージ機１は、装置本体１０および操作器２０を有する。装置本体１０は、座部１１、背もたれ部１２、肘かけ部１３、脚載台１４、および制御部１８を有する。背もたれ部１２は、施療部としての揉み玉１６および揉み玉マッサージ機構１５を有する。揉み玉マッサージ機構１５は、制御部１８からの制御信号を受けて、揉み玉１６を駆動して使用者１２０（図２３参照）の背部に対する施療を行う。
【００２０】
マッサージ機１は、空気圧によって使用者１２０をマッサージする施療部としての空気袋１７を有する。マッサージ機１は、空気袋１７として、腕用空気袋１７Ａ、腰用空気袋１７Ｂ、および太もも用空気袋１７Ｃを有する。空気袋１７Ａ〜１７Ｃは、膨張して人体を包み込み、空気袋１７の押圧によって人体をマッサージする。空気袋１７は、腕用、腰用、および太もも用以外の場所に配置されても良い。空気袋１７は、例えば、座部１１における座面に配置されても良い。また、空気袋は、背もたれ部１２から肩横に対応する位置に側壁を突設し、この側壁に空気袋を設けることにより使用者の肩に対当する部分に配置されても良い。
【００２１】
使用者１２０は、揉み玉１６によるマッサージを受けたいとき、揉み玉のマッサージ形態および揉み玉のマッサージの位置を選択する。揉み玉のマッサージ形態は、もみマッサージ、揉ねつマッサージ、さすりマッサージ、のばしマッサージ、および指圧マッサージを含む。揉み玉のマッサージの位置は、首、肩、背、腰、および背筋を含む。マッサージ機１は、制御部１８からの制御信号を受けて、マッサージコースを実行する。マッサージコースは、１つまたは複数の揉み玉のマッサージステップを連続して実行する。揉み玉のマッサージステップは、揉み玉のマッサージ形態と揉み玉のマッサージの位置が設定されたマッサージ動作である。マッサージコースは、例えば、使用者１２０の首に対するもみマッサージである第１の揉み玉のマッサージステップと、腰に対するのばしマッサージである第２の揉み玉のマッサージを連続して実行する。
【００２２】
揉み玉のマッサージ動作は、マッサージの動作パラメータを含んでいる。動作パラメータは、マッサージ強さ、マッサージ時間、もみ回数、マッサージ速度としてのもみ速度、たたきマッサージ形態としてのたたき動作有無およびたたき動作速度、および温熱付与形態としての温熱有無を含む。
【００２３】
マッサージ機１は、マッサージコースとしてすでに設定された既存コースを実行することができる。また、マッサージ機１は、マッサージコースとして既存のコースを変更した変更コースを実行することができる。また、マッサージ機１は、マッサージコースとして新たに作成した新規コースを実行することができる。
【００２４】
図２を参照して、マッサージコースおよび揉み玉のマッサージステップの設定内容について説明する。
図２（ａ）に示されるように、マッサージコース５０は、揉み玉のマッサージステップ６０が連続して設定されている。図２（ａ）に示されるマッサージコース５０を実行するとき、マッサージコース５０に設定された情報は、マッサージ機１の制御部１８に転送される。制御部１８は、転送された情報に従って、揉み玉１６および空気袋１７を動作させる。
【００２５】
図２（ｂ）に揉み玉のマッサージステップ６０の設定内容を示している。揉み玉のマッサージステップ６０は、マッサージ情報が記載されるマッサージ情報フィールドとして揉み玉番号フィールド６１、揉み玉のマッサージ形態フィールド６２、および揉み玉のマッサージ位置フィールド６３を有する。揉み玉番号フィールド６１は、マッサージコース５０における揉み玉のマッサージステップ６０の実行順序である揉み玉ステップ番号情報が格納される。揉み玉の形態フィールド６２は、揉み玉のマッサージ形態の情報が格納される。揉み玉のマッサージ位置フィールド６３は、揉み玉のマッサージ位置の情報が格納される。揉み玉の動作パラメータは、揉み玉のマッサージ形態およびマッサージ位置に応じて予め決められた値が設定される。
【００２６】
揉み玉のマッサージステップ６０の設定内容は、操作器２０を操作することにより編集することができる。揉み玉のマッサージステップ６０の編集は、揉み玉のマッサージ形態の設定および揉み玉のマッサージ位置の設定を含む。
【００２７】
図３を参照して、操作器２０の構成について説明する。
操作器２０は、表示部２１および物理入力部３０を有する。物理入力部３０は開始ボタン３１、左ボタン３２、右ボタン３３、上ボタン３４、下ボタン３５、決定ボタン３６、および終了ボタン３７を有する。
【００２８】
図４に、操作器２０の回路ブロック構成を示している。
操作器２０は、表示部２１、編集部２２、記憶部２３、装置本体インターフェース２４、および入力部としての物理入力部３０を有する。記憶部２３は、マッサージ機操作プログラムを記憶している。編集部２２は、揉み玉のマッサージステップ６０の編集をおこなうとき、マッサージ機操作プログラムを実行する。物理入力部３０は、開始ボタン３１、左ボタン３２、右ボタン３３、上ボタン３４、下ボタン３５、決定ボタン３６、および終了ボタン３７の操作に応じて、操作信号を編集部２２に出力する。編集部２２は、マッサージ機操作プログラムを実行することにより、物理入力部３０からの操作信号に基づいて、表示部２１に情報を表示する。編集部２２は、物理入力部３０からの操作信号が入力されるとき、マッサージ機操作プログラムに基づいて、揉み玉のマッサージステップ６０を編集する。編集部２２は、マッサージコース５０の情報を装置本体インターフェース２４に出力する。装置本体インターフェース２４は、ケーブル１９を介してマッサージコース５０の情報を装置本体１０の制御部１８に転送する。
【００２９】
揉み玉のマッサージ形態および揉み玉のマッサージ位置の変更および設定をおこなうとき、使用者１２０は、図３に示される開始ボタン３１を操作する。編集部２２は、物理入力部３０からの操作信号に応じて、表示部２１の表示内容を図３に示される揉み玉のマッサージステップ設定モードとする。揉み玉のマッサージステップ設定モードは、表示部２１に入力部としての仮想入力部４０を形成する。仮想入力部４０は、表示部２１に揉み玉のマッサージ形態アイコンの一覧４１Ａおよび揉み玉のマッサージ位置アイコンの一覧４１Ｂを表示する。使用者１２０は、左ボタン３２、右ボタン３３、上ボタン３４、および下ボタン３５を操作してカーソル４２を選択するアイコン上に移動させる。使用者１２０は、決定ボタン３６を操作して揉み玉のマッサージ形態およびマッサージ位置の変更および設定をおこなう。
【００３０】
新規のマッサージコース５０を作成するとき、使用者１２０は、揉み玉のマッサージ形態アイコンの一覧４１Ａおよび揉み玉のマッサージ位置アイコンの一覧４１Ｂの中からを所望のアイコンを選択して揉み玉のマッサージステップ６０を順次作成していく。使用者１２０は、マッサージコース５０を編集するとき、表示部２１に仮想入力部４０として表示された全ステップアイコン４３上にカーソル４２を移動して決定ボタン３６を操作する。編集部２２は、仮想入力部４０からの操作信号に基づいて、表示部２１に全ステップ表示モードとして、マッサージコース５０を形成する１つまたは複数の揉み玉のマッサージステップ６０を表示する。
【００３１】
図５に全ステップ表示モードにおける表示部２１の表示形態を示している。
表示部２１は、マッサージコース５０と、仮想入力部４０としての前ページ選択アイコン４４、次ページ選択アイコン４５、および前モード選択アイコン４６とを表示する。表示部２１に表示されるマッサージコース５０は、マッサージコース５０の編集を行うとき、仮想入力部４０の一部を形成する。表示部２１にマッサージコース５０を形成する揉み玉のマッサージステップ６０のすべてを１画面上に表示できないとき、使用者１２０は、カーソル４２を前ページ選択アイコン４４または次ページ選択アイコン４５上に移動して決定ボタン３６を操作する。編集部２２は、物理入力部３０および仮想入力部４０からの操作信号に基づいて、マッサージコース５０形成する揉み玉のマッサージステップ６０であって、現在表示されていない部分を表示する。このことにより、マッサージコース５０形成する揉み玉のマッサージステップ６０の数が多い場合においても、マッサージコース５０形成するすべての揉み玉のマッサージステップ６０の内容を確認することができる。揉み玉のマッサージステップ設定モードを表示したいとき、使用者１２０は、カーソル４２を前モード選択アイコン４６上に移動して決定ボタン３６を操作する。編集部２２は、表示部２１に揉み玉のマッサージステップ設定モードを表示する。
【００３２】
使用者１２０は、既存のマッサージコースを変更して所望のマッサージコースを作成することができる。
図６は、マッサージコース５０を変更するときの操作内容が示されている。
【００３３】
使用者１２０は、図６（ａ）に示される変更前のマッサージコース５０を図６（ｂ）に示されるマッサージコース５０に変更する。マッサージコース５０における揉み玉ステップ第３番目の揉み玉のマッサージ形態および揉み玉のマッサージ位置は、図６（ａ）に示される設定から図６（ｂ）に示される設定に変更される。
【００３４】
図７は、揉み玉のマッサージステップ６０における揉み玉のマッサージ形態を変更する操作手順が示されている。
図７（ａ）および図７（ｂ）は、図６（ａ）および図６（ｂ）に示されるマッサージコース５０の揉み玉ステップ第１番目〜第６番目を抜き出して示している。使用者１２０は、図５に示される左ボタン３２、右ボタン３３、上ボタン３４、および下ボタン３５を操作して、揉み玉ステップ第３番目の揉み玉のマッサージ形態フィールド６２を選択する。編集部２２は、物理入力部３０および仮想入力部４０からの選択信号に基づいて揉み玉ステップ第３番目の揉み玉のマッサージ形態フィールド６２を強調表示する。使用者１２０は、図５に示す決定ボタン３６を操作する。編集部２２は、物理入力部３０からの選択信号に基づいて第１プルダウンメニュー５１を表示する。第１プルダウンメニュー５１は、揉み玉のマッサージ形態を選択するセルとして、揉み玉のマッサージ形態の一覧を表示する。使用者１２０は、右ボタン３３、上ボタン３４、および下ボタン３５を操作して、第１プルダウンメニュー５１の中から所望の揉み玉のマッサージ形態セルを選択する。編集部２２は、仮想入力部４０からの選択信号に基づいて選択された揉み玉のマッサージ形態を強調表示する。使用者１２０は、決定ボタン３６を操作する。編集部２２は、物理入力部３０からの選択信号に基づいて揉み玉ステップ第３番目の揉み玉のマッサージ形態フィールド６２を選択された内容に変更する。使用者１２０は、同様の手順で揉み玉ステップ第３番目の揉み玉のマッサージ位置フィールド６３を変更する。マッサージコース５０は、図６（ａ）に示される設定内容から図６（ｂ）に示される設定内容に変更される。使用者１２０は、他にも変更すべき揉み玉のマッサージステップ６０があるとき、連続して変更操作を実施する。
【００３５】
図８を参照して、編集部２２が実行するマッサージコース編集処理の概要を説明する。
編集部２２は、マッサージ機操作プログラムにしたがって、ステップＳ１１〜Ｓ１４の各ステップを順次実行する。
【００３６】
マッサージコース５０の編集をおこなうとき、ステップＳ１１において、編集部２２は、表示部２１にマッサージコース５０を表示する。ステップＳ１２において、編集部２２は、物理入力部３０および仮想入力部４０からの操作信号が有るかを判定する。物理入力部３０および仮想入力部４０からの操作信号が無い場合は、編集部２２は、ステップＳ１２を繰り返す。ステップＳ１２において物理入力部３０および仮想入力部４０からの操作信号が有ると判定されると、ステップＳ１３において、編集部２２は、操作信号に基づいたマッサージコース５０に対する編集をおこなう。ステップＳ１４において、編集部２２は、終了ボタン３７が操作されたかを判定する。終了ボタン３７が操作されていないとき、編集部２２は、ステップＳ１２〜Ｓ１４を繰り返す。ステップＳ１４において終了ボタン３７が操作されたと判定されると、編集部２２は、マッサージコース編集処理を終了する。
【００３７】
マッサージ機１は、以下の効果を奏する。
（１）マッサージ機１は、装置本体１０および操作器２０を有する。操作器２０は、物理入力部３０、表示部２１、編集部２２、記憶部２３、および装置本体インターフェース２４を有する。記憶部２３は、マッサージ機操作プログラムを記憶している。編集部２２は、揉み玉のマッサージステップ６０の編集をおこなうとき、マッサージ機操作プログラムを実行する。編集部２２は、揉み玉のマッサージステップ６０の編集をおこなうとき、マッサージコース５０を形成する１つまたは複数の揉み玉のマサージステップ６０を表示部２１に表示する。この構成によれば、使用者１２０は、表示部２１に表示されたマッサージコース５０を形成する複数の揉み玉のマッサージステップ６０の相互の関係を確認しながら揉み玉のマッサージステップ６０の変更および作成を行うことができる。このため、使用者１２０は、マッサージコース５０全体を確認しながら自分の体型および体質に合った、多様なマッサージコース５０の変更および作成を行うことができる。
【００３８】
（２）編集部２２は、揉み玉のマッサージステップ６０の編集をおこなうとき、マッサージ機操作プログラムを実行する。編集部２２は、揉み玉のマッサージステップ６０の編集をおこなうとき、マッサージコース５０を形成する１つまたは複数のマサージステップ６０を表示部２１に表示する。使用者１２０は、マッサージコース５０の変更すべき揉み玉のマッサージステップ６０を順次変更する。この構成によれば、使用者１２０は、表示部２１に表示された揉み玉のマッサージコース５０を形成する複数の揉み玉のマッサージステップ６０の相互の関係を確認しながら複数の揉み玉のマッサージステップ６０の変更を連続的に行うことができる。このため、使用者１２０は、マッサージ動作を実行しない状態でマッサージコース５０の変更を完了することができる。このため、マッサージコース５０の変更を短時間で行うことができる。
【００３９】
（３）編集部２２は、揉み玉のマッサージステップ６０の編集をおこなうとき、マッサージ機操作プログラムを実行する。編集部２２は、揉み玉のマッサージステップ６０の編集をおこなうとき、マッサージコース５０を形成する１つまたは複数のマサージステップ６０を表示部２１に表示する。揉み玉のマッサージステップ６０は、揉み玉のマッサージ形態フィールド６２および揉み玉のマッサージ位置フィールド６３を有する。この構成によれば、使用者１２０は、表示部２１に表示されたマッサージコース５０を形成する複数の揉み玉のマッサージステップ６０の相互の関係を確認しながら揉み玉のマッサージ形態および揉み玉のマッサージ位置を自由に変更できる。このため、使用者１２０は、好みの揉み玉のマッサージ形態が連続して実行されるマッサージを受けることができる。このため、使用者１２０は、マッサージによる心地良い刺激を受けることができる。
（第２実施形態）
第２実施形態のマッサージ機１は、第１実施形態のマッサージ機１と比較して以下の部分において異なる構成を有し、その他の部分において同一の構成を有する。なお、第１実施形態のマッサージ機１と共通する構成については同一の符号を付して、その説明の一部または全部を省略する。
【００４０】
第１実施形態のマッサージ機１は、表示部２１に表示される揉み玉のマッサージステップ６０が揉み玉番号フィールド６１、揉み玉のマッサージ形態フィールド６２、および揉み玉のマッサージ位置フィールド６３を有する。一方、第２実施形態のマッサージ機１は、表示部２１に表示される揉み玉のマッサージステップ６０が揉み玉番号フィールド６１、揉み玉のマッサージ形態フィールド６２、揉み玉のマッサージ位置フィールド６３、および揉み玉の動作パラメータフィールド６４を有する。
【００４１】
揉み玉のマッサージステップ６０は、揉み玉番号フィールド６１、揉み玉のマッサージ形態フィールド６２、および揉み玉のマッサージ位置フィールド６３に加えて揉み玉の動作パラメータフィールド６４を有する。揉み玉の動作パラメータフィールド６４は、揉み玉のマッサージ動作パラメータであるマッサージ強さ、もみ回数、もみ速度、たたき動作有無、たたき動作速度、および温熱有無のうちの少なくとも１つをマッサージ情報として設定変更可能とする情報フィールドを備えている。
【００４２】
図９に揉み玉の動作パラメータフィールド６４を含む揉み玉のマッサージステップ６０の設定形態を示している。
図９（ａ）で示される例は、揉み玉の動作パラメータフィールド６４にマッサージ強さの情報を格納する揉み玉のマッサージ強さフィールド６５を有している。図９（ｂ）で示される例は、揉み玉の動作パラメータフィールド６４にマッサージのもみ回数の情報を格納する揉み玉のもみ回数フィールド６６を有している。図９（ｃ）で示される例は、揉み玉の動作パラメータフィールド６４に、揉み玉のマッサージ強さの情報を格納する揉み玉のマッサージ強さフィールド６５と、たたき動作の有無の情報を格納する揉み玉のたたきフィールド６７との２つの情報フィールドを有している。
【００４３】
揉み玉の動作パラメータフィールド６４は、情報設定フィールドとして、揉み玉の動作パラメータである揉み玉のマッサージ強さ、揉み玉のもみ回数、揉み玉のもみ速度、揉み玉のたたき動作有無、揉み玉のたたき動作速度、および揉み玉の温熱有無を任意に組合せることができる。揉み玉の動作パラメータフィールド６４内で設定がなされない動作パラメータは、あらかじめ決められた値が設定される。
【００４４】
揉み玉の動作パラメータの変更をおこなうとき、使用者１２０は、図３に示す開始ボタン３１を操作する。編集部２２は、物理入力部３０からの操作信号に基づいて、表示部２１に揉み玉のマッサージステップ設定モードとして、仮想入力部４０を形成する。仮想入力部４０は、表示部２１に、揉み玉のマッサージ形態アイコンの一覧４１Ａおよび揉み玉のマッサージ位置アイコンの一覧４１Ｂに代えて揉み玉の動作パラメータを示すアイコンの一覧を表示する。使用者１２０は、左ボタン３２、右ボタン３３、上ボタン３４、および下ボタン３５を操作してカーソル４２を選択するアイコン上に移動させる。使用者１２０は、決定ボタン３６を操作して動作パラメータの変更をおこなう。
【００４５】
使用者１２０は、揉み玉の動作パラメータフィールド６４が設定された既存の揉み玉のマッサージステップ６０に対して、設定値の変更を行うことができる。使用者１２０は、揉み玉の動作パラメータフィールド６４が設定された新規の揉み玉のマッサージステップ６０を作成することができる。
【００４６】
マッサージ機１によれば、第１実施形態のマッサージ機１が奏する（１）〜（３）と同様の効果を奏する。すなわち、使用者１２０が自分の体型および体質に合った多様なマッサージコース５０の変更および作成を行うことができる旨の効果、マッサージコース５０の変更を短時間で行うことができる旨の効果、およびその他の種々の効果を奏する。また、マッサージ機１は、以下の効果を奏する。
【００４７】
（４）揉み玉のマッサージステップ６０は、揉み玉番号フィールド６１、揉み玉のマッサージ形態フィールド６２、および揉み玉のマッサージ位置フィールド６３に加えて揉み玉の動作パラメータフィールド６４を有する。揉み玉の動作パラメータフィールド６４は、揉み玉のマッサージ動作パラメータである揉み玉のマッサージ強さ、揉み玉のもみ回数、揉み玉のもみ速度、揉み玉のたたき動作有無、揉み玉のたたき動作速度、および揉み玉の温熱有無のうちの少なくとも１つをマッサージ情報として設定変更可能とする情報フィールドを備える。この構成によれば、使用者１２０は、揉み玉のマッサージ形態および揉み玉のマッサージ位置の設定に加え、揉み玉の動作パラメータを任意の値に設定した揉み玉のマッサージステップ６０によりマッサージコース５０を作成して実行することができる。このため、使用者１２０は、揉み玉のマッサージ動作を自分の好み、体格、および体質に合うように調整することができる。このため、使用者１２０は、心地良いマッサージ効果を得ることができる。
【００４８】
（５）揉み玉のマッサージステップ６０は、揉み玉のマッサージ形態フィールド６２および揉み玉のマッサージ位置フィールド６３に加えて動作パラメータフィールド６４を有する。揉み玉の動作パラメータフィールド６４は、揉み玉の動作パラメータである揉み玉のマッサージ強さ、揉み玉のもみ回数、揉み玉のもみ速度、揉み玉のたたき動作有無、揉み玉のたたき動作速度、および揉み玉の温熱有無のうちの少なくとも１つをマッサージ情報として設定変更可能とする情報フィールドを備えている。使用者１２０は、揉み玉のマッサージステップ６０毎に動作パラメータを設定することができる。このため、使用者１２０は、揉み玉のマッサージ形態および揉み玉のマッサージ位置に応じたマッサージ動作パラメータを設定することができる。このため、マッサージ動作を、マッサージ部位毎に使用者１２０の好み、体格、および体質に合うように調整することができる。このため、使用者１２０は、より心地良いマッサージ効果を得ることができる。
（第３実施形態）
第３実施形態のマッサージ機１は、第１実施形態のマッサージ機１と比較して以下の部分において異なる構成を有し、その他の部分において同一の構成を有する。なお、第１実施形態のマッサージ機１と共通する構成については同一の符号を付して、その説明の一部または全部を省略する。
【００４９】
第１実施形態のマッサージ機１は、表示部２１に表示される揉み玉のマッサージステップ６０が揉み玉番号フィールド６１、揉み玉のマッサージ形態フィールド６２、および揉み玉のマッサージ位置フィールド６３を有する。一方、第３実施形態のマッサージ機１は、表示部２１に空気袋のマッサージステップ７０が表示される。空気袋のマッサージステップ７０は、空気袋番号フィールド７１、空気袋のマッサージ形態フィールド７２、複数の空気袋のマッサージ位置および空気袋のマッサージ強さフィールド７３を有する。
【００５０】
使用者１２０は、空気袋１７によるマッサージを受けたいとき、空気袋のマッサージ形態および空気袋の位置を選択する。空気袋のマッサージ形態は、もみマッサージ、さすりマッサージ、およびのばしマッサージを含む。空気袋の位置は、腕、腰、および太ももを含む。マッサージ機１は、制御部１８からの制御信号を受けて、マッサージコースを実行する。マッサージコースは、１つまたは複数の空気袋のマッサージステップを連続して実行する。空気袋のマッサージステップは、空気袋のマッサージ形態と空気袋の位置が選択されたマッサージ動作である。マッサージコースは、例えば使用者１２０の腕に対するもみマッサージと腰に対するのばしマッサージを連続して実行する。
【００５１】
空気袋のマッサージ動作は、空気袋の動作パラメータを含んでいる。空気袋の動作パラメータは、空気袋のマッサージ強さ、空気袋のマッサージ時間、空気袋のもみ回数、および空気袋のもみ速度を含む。
【００５２】
マッサージコースは、すでに設定された既存コースを実行することができる。また、マッサージコースは、既存のコースを変更した変更コースを実行することができる。また、マッサージコースは新たに作成した新規コースを実行することができる。
【００５３】
図１０を参照して、空気袋のマッサージステップの設定内容について説明する。
空気袋のマッサージステップ７０は、マッサージ情報が記載されるマッサージ情報フィールドとしての空気袋番号フィールド７１、空気袋のマッサージ形態フィールド７２、および空気袋の位置および空気袋のマッサージ強さフィールド７３を有する。空気袋番号フィールド７１は、マッサージコースにおける空気袋のマッサージステップ７０の実行順序である空気袋ステップ番号情報が格納される。空気袋の形態フィールド７２は、空気袋のマッサージ形態の情報が格納される。空気袋の位置および空気袋のマッサージ強さフィールド７３は、空気袋の位置および空気袋のマッサージ強さの情報が格納される。
【００５４】
マッサージ機１は、空気袋１７として、腕用空気袋１７Ａ、腰用空気袋１７Ｂ、および太もも用空気袋１７Ｃを有する。マッサージ機１は、異なる箇所に複数の空気袋１７を有している。異なる箇所の空気袋１７は、独立したマッサージ動作を行うことができる。このため、空気袋のマッサージステップ７０は、空気袋の位置および空気袋のマッサージ強さフィールド７３として複数の位置およびマッサージ強さを設定することができる。図１０（ａ）に示す例は、空気袋の位置および空気袋のマッサージ強さフィールド７３において２つの空気袋位置を設定する場合の空気袋のマッサージステップ７０を示している。図１０（ｂ）は、空気袋の位置および空気袋のマッサージ強さフィールド７３において３つの空気袋位置を設定する場合の空気袋のマッサージステップ７０を示している。
【００５５】
マッサージ機１は、揉み玉１６によるマッサージ動作を実行しているとき、空気袋１７によるマッサージ動作を実行することができる。マッサージ機１は、揉み玉１６によるマッサージと空気袋１７によるマッサージを独立させて動作させることができる。
【００５６】
マッサージ機１が実行するマッサージコースは、１つまたは複数の揉み玉のマッサージマッサージステップおよび空気袋のマッサージステップを連続して実行する。
図１１を参照して、揉み玉のマッサージマッサージステップおよび空気袋のマッサージステップを設定する複合マッサージコース８０の設定内容につて説明する。
【００５７】
複合マッサージコース８０は、揉み玉のマッサージステップ６０および空気袋のマッサージステップ７０を有する。揉み玉のマッサージステップ６０は、揉み玉番号フィールド６１、揉み玉のマッサージ形態フィールド６２、揉み玉のマッサージ位置フィールド６３を有する。空気袋のマッサージステップ７０は、空気袋番号フィールド７１、空気袋のマッサージ形態フィールド７２、および空気袋の位置および空気袋のマッサージ強さフィールド７３を有する。揉み玉のマッサージステップ６０および空気袋のマッサージステップ７０は、複合マッサージコース８０におけるマッサージステップの進行を独立して設定することができる。つまり、揉み玉のマッサージステップ６０および空気袋のマッサージステップ７０は、各ステップでのマッサージ実施時間を異なる値とすることができる。図１１で示される例においては、空気袋のマッサージステップ７０における空気袋ステップ第１番目から空気袋ステップ第２番目への切替えは、揉み玉マッサージステップ６０における揉み玉ステップ第３番目の途中で実施される。空気袋のマッサージステップ７０における空気袋ステップ第２番目から空気袋ステップ第３番目への切替えは、揉み玉マッサージステップ６０における揉み玉ステップ第５番目から揉み玉ステップ第６番目への切替えと同時に実施される。
【００５８】
複合マッサージコース８０は、揉み玉のマッサージステップ６０における揉み玉の動作パラメータフィールドの設定および、空気袋のマッサージステップ７０における複数の空気袋位置および空気袋のマッサージ強さを設定することができる。図１２に示されるように、揉み玉のマッサージステップ６０は、揉み玉の動作パラメータフィールドとして揉み玉のマッサージ強さフィールド６５が設定される。空気袋のマッサージステップ７０は、複数の空気袋位置および空気袋のマッサージ強さフィールド７３が設定される。
【００５９】
図１３を参照して、空気袋のマッサージステップ７０の設定操作について説明する。
空気袋のマッサージ形態、空気袋の位置、および空気袋の強さの変更および設定をおこなうとき、使用者１２０は、図１３に示す開始ボタン３１を操作する。編集部２２は、物理入力部３０からの操作信号に基づいて、表示部２１に仮想入力部４０を形成する。仮想入力部４０は、表示部２１に空気袋のマッサージ形態一覧アイコン４７Ａ、空気袋の位置一覧アイコン４７Ｂ、および空気袋のマッサージ強さ一覧アイコン４７Ｃを表示する。使用者１２０は、左ボタン３２、右ボタン３３、上ボタン３４、および下ボタン３５を操作してカーソル４２を選択するアイコン上に移動させる。使用者１２０は、決定ボタン３６を操作して空気袋のマッサージ形態、空気袋の位置、および空気袋のマッサージ強さの変更および設定をおこなう。
【００６０】
マッサージ機１によれば、第１および第２実施形態が奏する効果（１）〜（５）に準じた効果に加えて以下に示す効果を奏する。
（６）空気袋のマッサージステップ７０は、空気袋番号フィールド７１、空気袋のマッサージ形態フィールド７２、および空気袋の位置および空気袋のマッサージ強さフィールド７３を有する。空気袋のマッサージステップ７０は、空気袋の位置および空気袋のマッサージ強さフィールド７３として複数の位置およびマッサージ強さを設定することができる。この構成によれば、異なる箇所の複数の空気袋１７の空気袋のマッサージ形態および空気袋のマッサージ強さを独立に設定することができる。このため、使用者１２０は、異なるマッサージ位置での異なるマッサージ形態の空気袋のマッサージを受けることができる。このため、使用者１２０は、心地良い空気袋のマッサージを受けることができる。
【００６１】
（７）複合マッサージコース８０は、揉み玉のマッサージステップ６０および空気袋のマッサージステップ７０を有する。揉み玉のマッサージステップ６０および空気袋のマッサージステップ７０は、複合マッサージコース８０におけるマッサージステップの進行を独立して設定することができる。この構成によれば、使用者１２０は、揉み玉のマッサージステップと空気袋のマッサージステップを任意のタイミングで切替える複合マッサージコースを作成することができる。このため、使用者１２０は、多様な複合マッサージコースを作成し、マッサージを受けることができる。
（第４実施形態）
第４実施形態のマッサージ機１は、第１実施形態のマッサージ機１と比較して以下の部分において異なる構成を有し、その他の部分において同一の構成を有する。なお、第１実施形態のマッサージ機１と共通する構成については同一の符号を付して、その説明の一部または全部を省略する。
【００６２】
第１実施形態のマッサージ機１は、表示部２１に表示されるマッサージコース５０を形成するマッサージステップ６０を変更または作成する。一方、第４実施形態のマッサージ機１は、表示部２１に表示されるマッサージコース５０を形成するマッサージステップ６０の挿入、削除、および順序変更の少なくとも１つを行う。
【００６３】
操作器２０は、全ステップ表示モードを実行するとき、表示部２１にマッサージコース５０を形成する複数のマッサージステップ６０を表示する。使用者１２０は、操作器２０を操作することによりマッサージコース５０のステップを編集するステップ編集を行う。マッサージコース５０のステップ編集は、マッサージステップの削除、新規マッサージステップの挿入、およびマッサージステップの実行順序の変更を含む。
【００６４】
図１４を参照して、マッサージコース５０におけるマッサージステップの挿入操作について説明する。
マッサージコース５０に新たなマッサージステップを挿入するとき、使用者１２０は、開始ボタン３１を操作してマッサージコース編集モードを設定する。使用者１２０は、１４図（ａ）に示されるように、左ボタン３２、右ボタン３３、上ボタン３４、および下ボタン３５を操作して、マッサージコース５０における揉み玉ステップ第５番目を選択する。編集部２２は、物理入力部３０からの選択信号に基づいて、１４図（ｂ）に示されるように、第２プルダウンメニュー５２を表示する。第２プルダウンメニュー５２は、挿入セル、削除セル、および変更セルを含む。使用者１２０は、右ボタン３３、上ボタン３４、および下ボタン３５を操作して、第２プルダウンメニュー５２の中から挿入セルを選択する。編集部２２は、物理入力部３０および仮想入力部４０からの選択信号に基づいて、１４図（ｃ）に示されるように、第３プルダウンメニュー５３を表示する。第３プルダウンメニュー５３は、メニュウ―内で表示するセルとして、揉み玉マッサージ形態および揉み玉マッサージ位置の一覧を含む。使用者１２０は、左ボタン３２、右ボタン３３、上ボタン３４、および下ボタン３５を操作して、第３プルダウンメニュー５３の中から揉み玉マッサージ形態Ｃおよび揉み玉マッサージ位置（Ｐ１）を選択する。編集部２２は、選択された揉み玉マッサージ形態Ｃおよび揉み玉マッサージ位置（Ｐ１）から構成されるマッサージステップを揉み玉ステップ第５番目の前ステップとして挿入する。
【００６５】
図１５を参照して、マッサージコース５０におけるマッサージステップ６０の削除操作について説明する。
マッサージコース５０のマッサージステップを削除するとき、使用者１２０は、開始ボタン３１を操作してマッサージコース編集モードを設定する。使用者１２０は、第１５図（ａ）に示されるように、左ボタン３２、右ボタン３３、上ボタン３４、および下ボタン３５を操作して、揉み玉のマッサージコース５０における揉み玉ステップ第６番目を選択する。編集部２２は、物理入力部３０および仮想入力部４０からの選択信号に基づいて、第１５図（ｂ）に示されるように、第２プルダウンメニュー５２を表示する。第２プルダウンメニュー５２は、挿入セル、削除セル、および変更セルを含む。使用者１２０は、右ボタン３３、上ボタン３４、および下ボタン３５を操作して、第２プルダウンメニュー５２の中から削除セルを選択する。編集部２２は、物理入力部３０および仮想入力部４０からの選択信号に基づいて揉み玉ステップ第６番目のマッサージステップを削除する。マッサージコース５０は、第１５図（ｃ）に示される設定内容に変更される。
【００６６】
図１６を参照して、マッサージコース５０におけるマッサージステップ６０の順序変更操作について説明する。
マッサージコース５０のマッサージステップの順序を変更するとき、使用者１２０は、開始ボタン３１を操作してマッサージコース編集モードを設定する。使用者１２０は、第１６図（ａ）に示されるように、左ボタン３２、右ボタン３３、上ボタン３４、および下ボタン３５を操作して、揉み玉のマッサージコース５０における揉み玉ステップ第８番目を選択する。編集部２２は、物理入力部３０および仮想入力部４０からの選択信号に基づいて、第１６図（ｂ）に示されるように、第２プルダウンメニュー５２を表示する。第２プルダウンメニュー５２は、挿入セル、削除セル、および変更セルを含む。使用者１２０は、右ボタン３３、上ボタン３４、および下ボタン３５を操作して、第２プルダウンメニュー５２の中から変更セルを選択する。使用者１２０は、右ボタン３３、上ボタン３４、および下ボタン３５を操作して、揉み玉のマッサージコース５０における揉み玉ステップ第２番目を選択する。編集部２２は、物理入力部３０および仮想入力部４０からの選択信号に基づいて揉み玉ステップ第８番目のマッサージステップを揉み玉ステップ第２番目のマッサージステップの前ステップに移動する。
【００６７】
空気袋のマッサージステップ７０に関しても、図１４〜図１６に示される手順で、マッサージコースのステップ編集を行うことができる。
マッサージ機１によれば、第１〜第３実施形態が奏する効果（１）〜（７）に準じた効果に加えて以下に示す効果を奏する。
【００６８】
（８）マッサージ機１の操作器２０は、表示部２１および物理入力部３０を有する。操作器２０は、全ステップ表示モードを実行するとき、表示部２１にマッサージコース５０を形成する複数の揉み玉マッサージステップ６０を表示する。マッサージコース５０は、操作器２０を操作することによりステップ編集を行う。マッサージコース５０のステップ編集は、マッサージステップの削除、新規マッサージステップの挿入、およびマッサージステップの実行順序の変更を含む。この構成によれば、使用者１２０は、揉み玉マッサージステップ６０の挿入、削除、および順序変更によるマッサージコース５０の変更を容易に行うことができる。このため、マッサージ動作を行なうとき、わずらわしさを感じずに、頻繁にマッサージコースを変更できる。
【００６９】
（９）マッサージ機１の操作器２０は、表示部２１および物理入力部３０を有する。物理入力部３０は開始ボタン３１、左ボタン３２、右ボタン３３、上ボタン３４、下ボタン３５、決定ボタン３６、および終了ボタン３７を有する。操作器２０は、全ステップ表示モードを実行するとき、表示部２１にマッサージコース５０を形成する複数のマッサージステップ６０を表示する。使用者１２０は、物理入力部３０および表示部２１に表示される仮想入力部４０を操作してマッサージコース５０を編集する。この構成によれば、使用者１２０は、マッサージ動作を実行しない状態でマッサージコース５０の変更を行うことができる。このため、使用者１２０の利便性が向上する。
（第５実施形態）
第５実施形態のマッサージ機１は、第１〜第４実施形態のマッサージ機１と比較して以下の部分において異なる構成を有し、その他の部分において同一の構成を有する。なお、第１〜第４実施形態のマッサージ機１と共通する構成については同一の符号を付して、その説明の一部または全部を省略する。
【００７０】
第１〜第４実施形態のマッサージ機１は、マッサージコース５０の編集をおこなうとき、表示部２１にマッサージコース５０を表示する。一方、第５実施形態のマッサージ機１は、マッサージ機１がマッサージコース５０に応じてマッサージ動作を行なっているとき、表示部２１にマッサージステップを表示する。
【００７１】
図１７を参照して、マッサージ動作実行中における表示部２１の表示内容を説明する。
マッサージ機１がマッサージコース５０に応じて揉み玉ステップ第２番目の揉み玉マッサージステップ６０を実行しているとき、表示部２１は、図１７（ａ）に示される内容の表示を行う。表示部２１は、実行している揉み玉ステップ第２番目の揉み玉マッサージステップ６０および揉み玉ステップ第２番目よりも後の実行順序である揉み玉ステップ第３番目の揉み玉マッサージステップ６０を表示する。
【００７２】
使用者１２０は、マッサージ機１がマッサージコース５０に応じてマッサージ動作を行なっているとき、次の実行順序予定である揉み玉マッサージステップ６０のマッサージ内容を確認することができる。使用者１２０は、マッサージ機１がマッサージコース５０に応じてマッサージ動作を行なっているとき、次の実行順序予定である揉み玉マッサージステップ６０の設定内容を変更することができる。
【００７３】
図１７（ｂ）を用いて、次の実行順序予定である揉み玉マッサージステップ６０の設定内容の変更操作を説明する。
表示部２１は、実行している揉み玉ステップ第２番目の揉み玉マッサージステップ６０および揉み玉ステップ第２番目よりも後の実行順序である揉み玉ステップ第３番目の揉み玉マッサージステップ６０を表示する。次の実行順序予定である揉み玉ステップ第３番目の揉み玉マッサージステップ６０の揉み玉マッサージ位置を変更するとき、使用者１２０は、物理入力部３０を操作して揉み玉ステップ第３番目の揉み玉マッサージステップ６０の揉み玉のマッサージ位置フィールドを選択する。編集部２２は、仮想入力部４０からの選択信号に基づいて第４プルダウンメニュー５４を表示する。第４プルダウンメニュー５４は、メニュウ―内で表示するセルとして、揉み玉マッサージ位置の一覧を含む。使用者１２０は、右ボタン３３、上ボタン３４、および下ボタン３５を操作して、第４プルダウンメニュー５４の中から揉み玉マッサージ位置を選択する。編集部２２は、揉み玉ステップ第３番目の揉み玉マッサージステップのマッサージ位置を変更する。
【００７４】
マッサージ機１によれば、第１〜第４実施形態が奏する効果（１）〜（９）に準じた効果に加えて以下に示す効果を奏する。
（１０）マッサージ機１がマッサージコース５０に応じて揉み玉マッサージステップ６０を実行しているとき、表示部２１は、実行している揉み玉マッサージステップ６０および後の実行順序である揉み玉マッサージステップ６０を表示する。この構成によれば、使用者１２０は、マッサージの実行中に、実行中のマッサージ動作に引き続いて実行される揉み玉のマッサージ動作内容を確認することができる。このため、使用者１２０は、体調に応じて、マッサージ動作の継続や、終了または中断を行うことができる。
【００７５】
（１１）マッサージ機１がマッサージコース５０に応じて揉み玉マッサージステップ６０を実行しているとき、表示部２１は、実行している揉み玉マッサージステップ６０および後の実行順序である揉み玉マッサージステップ６０を表示する。使用者１２０は、マッサージ機１がマッサージコース５０に応じてマッサージ動作を行なっているとき、次の実行順序予定である揉み玉マッサージステップ６０の設定内容を変更することができる。この構成によれば、使用者１２０は、マッサージ実行時の体調に合わせてマッサージ内容を変更することができる。このため、使用者１２０は、どの様な体調のときでも心地良いマッサージの刺激を受けることができる。
【００７６】
（第６実施形態）
第６実施形態のマッサージ機１は、第１〜第５実施形態のマッサージ機１と比較して以下の部分において異なる構成を有し、その他の部分において同一の構成を有する。なお、第１〜第５実施形態のマッサージ機１と共通する構成については同一の符号を付して、その説明の一部または全部を省略する。
【００７７】
第１〜第５実施形態のマッサージ機１は、操作器２０を有する。一方、第６実施形態のマッサージ機１は、受信部１１０を有する。
図１８を参照して、マッサージ機１の構成を説明する。
【００７８】
マッサージ機１は、装置本体１０、受信部１１０、および第２ケーブル１１１を有する。第２ケーブル１１１は、装置本体１０と受信部１１０を互いに接続する。マッサージ機１は、受信部１１０が受信する携帯型電子情報端末９０からの操作信号に基づいてマッサージ動作を実行する。図１８に示される構成において、マッサージ機１および携帯型電子情報端末９０によりマッサージシステムを構成する。
【００７９】
図１９を参照して、携帯型電子情報端末９０のブロック構成を説明する。
携帯型電子情報端末９０は、情報処理部９１、記憶部９２、入力部９３、通信部９４、バス９５、および表示部１００を有する。入力部９３は、タッチ操作入力部を備えたタッチ操作機能を有する。通信部９４は、無線通信機能および移動体データ通信機能を有する。携帯型電子情報端末９０は、マッサージ機操作プログラムを記憶部９２に記憶している。携帯型電子情報端末９０は、マッサージ機操作プログラムが情報処理部９１で実行されることにより、マッサージ機１の操作器として動作する。
【００８０】
マッサージ機１の使用者１２０は、入力部９３が有するタッチ操作機能を用いてマッサージ機１に対する指示操作を行う。携帯型電子情報端末９０は、タッチ操作機能によるマッサージ機１に対する指示操作を受けて、マッサージ機１に対する操作信号を送信する。マッサージ機１は、携帯型電子情報端末９０からの操作信号を受信部１１０により受信する。マッサージ機１は、受信部１１０により受信した制御信号に基づいてマッサージ動作を実施する。
【００８１】
マッサージ機１は、受信部１１０により受信した操作信号を制御部１８に出力する。マッサージ機１は、制御部１８からの制御信号を受けてマッサージコースを実行する。マッサージコースの情報は、携帯型電子情報端末９０がマッサージ機１の受信部１１０に送信する。
【００８２】
携帯型電子情報端末９０は、マッサージ機操作プログラムを情報処理部９１で実行することにより、マッサージコース５０、揉み玉のマッサージステップ６０、および空気袋のマッサージステップ７０の作成および変更を行う。
【００８３】
使用者１２０は、携帯型電子情報端末９０が有するタッチ操作機能を用いて、マッサージコース５０、揉み玉のマッサージステップ６０、および空気袋のマッサージステップ７０に対する操作入力を行う。携帯型電子情報端末９０は編集部を有する。情報処理部９１がマッサージ機操作プログラムを実行するとき、編集部は、情報処理部９１内に構築される。編集部は、携帯型電子情報端末９０のタッチ操作機能に基づいて、マッサージコース５０、揉み玉のマッサージステップ６０、および空気袋のマッサージステップ７０の編集を行う。
【００８４】
図２０は、揉み玉のマッサージステップ６０における揉み玉のマッサージ位置の選択方法が示されている。携帯型電子情報端末９０が揉み玉のマッサージステップ設定モードとされるとき、携帯型電子情報端末９０の表示部１００は、人体図上にマッサージ位置ごとに区分けされたマッサージ位置指定画面１０１を表示する。使用者１２０は、タッチ操作機能を用いてマッサージ位置を選択する。
【００８５】
図２１は、揉み玉のマッサージステップ６０における揉み玉のマッサージ形態の選択方法が示されている。携帯型電子情報端末９０が揉み玉のマッサージステップ設定モードとされるとき、携帯型電子情報端末９０は、表示部１００に人体図上のマッサージ形態の一覧１０２を表示する。使用者１２０は、タッチ操作機能を用いてマッサージ形態の一覧１０２から好みのマッサージ形態を選択する。携帯型電子情報端末９０は、対応するマッサージ位置を強調表示する。図２１においては、対応するマッサージ位置である首の領域がハッチングで表示される。使用者１２０は、選択するマッサージ形態が首に対するものであることを容易に認識する。
【００８６】
携帯型電子情報端末９０は、マッサージ強さおよびマッサージ回数などのマッサージ動作パラメータの設定において、使用者１２０に対してより優しい入力操作の方法を提供する。揉み玉のマッサージ動作パラメータを設定するとき、携帯型電子情報端末９０は、図２２に示される第１マッサージ動作パラメータ設定画面１０３を表示する。使用者１２０は、第１マッサージ動作パラメータ設定画面１０３に表示された＋ボタンおよび−ボタンをタッチ操作することでマッサージ動作パラメータを設定する。
【００８７】
図２３を参照して、携帯型電子情報端末９０でのマッサージコースの編集操作手順を説明する。
マッサージコースの編集をおこなうとき、携帯型電子情報端末９０は、全ステップ表示モードでの複数ステップ表示画面１０４を表示する。複数ステップ表示画面１０４は、複数の揉み玉のマッサージステップ６０を表示する。揉み玉のマッサージステップ実行順序の変更を行うとき、使用者１２０は、図２３（ａ）に示されるように、移動させたい揉み玉のマッサージステップ６０である揉み玉ステップ第４番目を長押しして選択する。使用者１２０は、図２３（ｂ）に示されるように、揉み玉ステップ第４番目の揉み玉のマッサージステップ６０を実行したい位置にドラッグして移動させる。この操作により、図２３（ｃ）に示されるように、移動前の揉み玉ステップ第４番目の揉み玉のマッサージステップ６０は、揉み玉ステップ第２番目の揉み玉のマッサージステップ６０に移動する。携帯型電子情報端末９０は、異なる編集モードを設定するとき、同様のタッチ操作で揉み玉ステップ第４番目の揉み玉のマッサージステップ６０と揉み玉ステップ第２番目の揉み玉のマッサージステップ６０とを入れ替える。
【００８８】
全ステップ表示モードでの複数の揉み玉のマッサージステップ表示において、複数ステップ表示画面１０４に表示することができない揉み玉のマッサージステップは、タッチ操作による画面スクロース操作で必要部を表示部１００に表示する。
【００８９】
図２４を参照して、既存のマッサージコース５０に対する揉み玉のマッサージステップ６０および空気袋のマッサージステップ７０の変更操作について説明する。
揉み玉のマッサージステップ６０における揉み玉のマッサージ位置を変更したいとき、使用者１２０は、図２４（ａ）に示されるように、変更したい揉み玉のマッサージステップ６０のマッサージ位置フィールド６３をタップして選択する。その後、使用者１２０は、図２４（ｂ）に示されるように、マッサージ位置指定画面１０１を表示して揉み玉のマッサージ位置を選択する。揉み玉のマッサージステップ６０は、図２４（ｃ）に示されるように、マッサージ位置フィールドのマッサージ位置が変更される。使用者１２０は、同様の手順でマッサージ形態、たたき動作の有無、マッサージ強さ、もみ回数、およびマッサージ時間を変更することができる。
【００９０】
携帯型電子情報端末９０は、通信部９４が有する移動体データ通信機能により、マッサージコース５０のデータをインターネット２００を経由してサーバー２１０にアップロードする。サーバー２１０にアップロードされたマッサージコース５０のデータを使用したいとき、使用者は、インターネット２００を経由したダウンロードによりマッサージコース５０のデータを携帯型電子情報端末９０に取り込む。
【００９１】
マッサージシステムは、サーバー２１０にアップロードされたマッサージコース５０を整備して他の利用者に配信が可能な構成としてもよい。
第６実施形態におけるマッサージ機１は、図１８に示される構成に限られない。例えば、マッサージ機１は、操作器２０を有する。マッサージ機１は、受信部１１０により受信した携帯型電子情報端末９０からの操作信号および操作器２０からの操作信号に基づいてマッサージ動作を実行する。
【００９２】
マッサージ機１によれば、第１〜第５実施形態が奏する効果（１）〜（１１）に準じた効果に加えて以下に示す効果を奏する。
（１２）マッサージ機１は、受信部１１０を有する。マッサージ機１は、受信部１１０が受信する携帯型電子情報端末９０からの操作信号に基づいてマッサージ動作を実行する。携帯型電子情報端末９０は、情報処理部９１、記憶部９２、入力部９３、通信部９４、および表示部１００を有する。入力部９３は、タッチ操作入力部を備えたタッチ操作機能を有する。通信部９４は、無線通信部および移動体データ通信部を有する。使用者１２０は、タッチ操作機能を用いてマッサージコース５０、揉み玉のマッサージステップ６０、および空気袋のマッサージステップ７０に対する操作入力を行う。情報処理部９１が有する編集部は、タッチ操作機能に基づいて、マッサージコース５０、揉み玉のマッサージステップ６０、および空気袋のマッサージステップ７０の編集を行う。この構成によれば、使用者１２０は、携帯型電子情報端末９０が有するタッチ操作機能を用いてマッサージ機１の操作を行うことができる。このため、使用者は、マッサージコース５０、揉み玉のマッサージステップ６０、および空気袋のマッサージステップ７０の編集の操作性が向上する。
【００９３】
（１３）マッサージ機１は、受信部１１０を有する。マッサージ機１は、受信部１１０が受信する携帯型電子情報端末９０からの操作信号に基づいてマッサージ動作を実行する。携帯型電子情報端末９０は、情報処理部９１、記憶部９２、入力部９３、通信部９４、バス９５、および表示部１００を有する。使用者１２０は、タッチ操作機能を用いてマッサージコース５０、揉み玉のマッサージステップ６０、および空気袋のマッサージステップ７０に対する操作入力を行う。この構成によれば、使用者は、携帯型電子情報端末９０が備える高度なタッチ操作入力機能および高精度の表示画像を用いてマッサージコース５０、揉み玉のマッサージステップ６０、および空気袋のマッサージステップ７０に対する操作を行うことができる。このため、使用者の利便性が向上する。
【００９４】
（その他の実施形態）
本マッサージ機操作プログラム、本マッサージ機用操作器、本マッサージ機、および本マッサージシステムは、第１〜第６実施形態以外の実施形態を含む。以下、本マッサージ機操作プログラム、本マッサージ機用操作器、本マッサージ機、および本マッサージシステムのその他の実施形態としての第１〜第６実施形態の変形例を示す。なお、以下の各変形例は、互いに組み合わせることもできる。
【００９５】
・第１〜第５実施形態のマッサージ機１は、操作器２０が記憶部２３を有し、記憶部２３が記憶するマッサージ機操作プログラムを編集部２２が実行する。ただし、マッサージ機１の構成は、第１〜第５実施形態に例示された内容に限られない。例えば、変形例のマッサージ機１は、装置本体１０が記憶部２３を有し、記憶部２３が記憶するマッサージ機操作プログラムを制御部１８が実行する。
【００９６】
・第１実施形態のマッサージ機１は、揉み玉のマッサージ位置を設定するとき、表示部２１に表示される揉み玉のマッサージ位置アイコンの一覧４１Ｂから揉み玉のマッサージ位置を選択する。ただし、マッサージ機１の構成は、第１実施形態に例示された内容に限られない。例えば、変形例のマッサージ機１は、揉み玉のマッサージ位置を設定するとき、表示部２１にマッサージ可能な位置を示した人体図を表示する。使用者１２０は、表示された人体図に示されるマッサージ可能な位置からマッサージ位置を選択する。
【００９７】
・第１実施形態のマッサージ機１は、操作器２０が物理入力部３０および仮想入力部４０を有する。揉み玉のマッサージ形態および揉み玉のマッサージ位置を設定するとき、表示部２１に表示される揉み玉のマッサージ形態アイコンの一覧４１Ａおよび揉み玉のマッサージ位置アイコンの一覧４１Ｂから揉み玉のマッサージ形態および揉み玉のマッサージ位置を選択する。ただし、マッサージ機１の構成は、第１実施形態に例示された内容に限られない。例えば、変形例のマッサージ機１は、操作器１３０が揉み玉のマッサージ形態および揉み玉のマッサージ位置の一覧に対応するボタンを有する。
【００９８】
図２５に操作器１３０の概略構成を示している。
操作器１３０は、表示部２１、物理入力部１４０を有する。物理入力部１４０は、揉み玉のマッサージ形態一覧ボタン１４１、揉み玉のマッサージ位置一覧ボタン１４２、左ボタン３２、右ボタン３３、上ボタン３４、下ボタン３５、および、全ステップ表示ボタン１４３を有する。揉み玉のマッサージステップ５０における揉み玉のマッサージ形態を設定するとき、使用者１２０は、揉み玉のマッサージ形態一覧ボタン１４１の中から設定するボタンを操作する。揉み玉のマッサージステップ５０における揉み玉のマッサージ位置を設定するとき、使用者１２０は、揉み玉のマッサージ位置一覧ボタン１４２の中から設定するボタンを操作する。マッサージコース５０を形成する複数の揉み玉のマッサージステップ６０を表示するとき、使用者１２０は、全ステップ表示ボタン１４３を操作する。表示部２１は、図２６に示される複数の揉み玉のマッサージステップ６０から形成されるマッサージコース５０を表示する。マッサージコース５０を編集するとき、使用者１２０は、左ボタン３２、右ボタン３３、上ボタン３４、下ボタン３５を操作してマッサージステップ６０、揉み玉のマッサージ形態フィールド６２、および揉み玉のマッサージ位置フィールド６３を選択する。
【００９９】
表示部２１が全ステップ表示をおこなうとき、左ボタン３２および右ボタン３３は前ページ選択ボタンおよび次ページ選択ボタンとして機能する。表示部２１にマッサージコース５０を形成する揉み玉のマッサージステップ６０のすべてを表示できないとき、使用者１２０は、左ボタン３２および右ボタン３３を操作して必要な部分の揉み玉のマッサージステップ６０を表示する。
【０１００】
・第５実施形態のマッサージ機１は、マッサージ機１がマッサージコース５０に応じてマッサージ動作を行なっているとき、表示部２１に揉み玉のマッサージステップ６０を表示する。表示部２１は、実行している揉み玉のマッサージステップ６０および後の実行順序である揉み玉のマッサージステップ６０を表示する。ただし、マッサージ機１の構成は、第５実施形態に例示された内容に限られない。例えば、変形例のマッサージ機１は、表示部２１は、実行している揉み玉のマッサージステップ６０および次の実行順序である揉み玉のマッサージステップ６０を含む１つまたは複数の揉み玉のマッサージステップ６０を表示する。
【０１０１】
・第６実施形態のマッサージ機１は、揉み玉のマッサージ位置を設定するとき、携帯型電子情報端末９０の表示部１００に、人体図上のマッサージ位置ごとに区分けされたマッサージ位置指定画面１０１を表示する。使用者１２０は、タッチ操作機能を用いてマッサージ位置を選択する。ただし、マッサージ機１の構成は、第６実施形態に例示された内容に限られない。例えば、変形例のマッサージ機１は、携帯型電子情報端末９０の表示部１００に人体の写真を表示する。使用者１２０は、マッサージ位置をタッチすることによってマッサージ位置を選択する。
【０１０２】
・第６実施形態のマッサージ機１は、揉み玉のマッサージ位置を設定するとき、携帯型電子情報端末９０の表示部１００に人体図上にマッサージ位置ごとに区分けされたマッサージ位置指定画面１０１を表示する。使用者１２０は、タッチ操作機能を用いてマッサージ位置を選択する。ただし、マッサージ機１の構成は、第６実施形態に例示された内容に限られない。例えば、変形例のマッサージ機１は、人体図上に区分け表示を行わずに、人体図に対するマッサージ位置のタッチ操作でマッサージ位置を設定する。
【０１０３】
・第６実施形態のマッサージ機１は、マッサージ形態を選択するとき、携帯型電子情報端末９０の表示部１００にマッサージ形態の一覧１０２を表示する。使用者１２０がマッサージ形態の一覧１０２から好みのマッサージ形態を選択するとき、携帯型電子情報端末９０は、対応するマッサージ位置を強調表示する。ただし、マッサージ機１の構成は、第６実施形態に例示された内容に限られない。例えば、変形例のマッサージ機１は、使用者１２０が、マッサージ位置を選択するとき、携帯型電子情報端末９０が、対応する揉み玉のマッサージ形態を強調表示する。
【０１０４】
・第６実施形態のマッサージ機１は、揉み玉のマッサージ動作パラメータを設定するとき、携帯型電子情報端末９０が、図２２に示される第１マッサージ動作パラメータ設定画面１０３を表示する。ただし、マッサージ機１の構成は、第６実施形態に例示された内容に限られない。例えば、変形例のマッサージ機１は、揉み玉のマッサージ動作パラメータを設定するとき、携帯型電子情報端末９０は、図２７に示される第２マッサージ動作パラメータ設定画面１０５を表示する。使用者１２０は、揉み玉のマッサージ強さを選択するとき、５段階で数字が表示されたタッチボタンアイコンの中から好みの強さを選択する。
【０１０５】
・第６実施形態のマッサージ機１は、揉み玉のマッサージ動作パラメータを設定するとき、携帯型電子情報端末９０が図２２に示される第１マッサージ動作パラメータ設定画面１０３を表示する。ただし、マッサージ機１の構成は、第６実施形態に例示された内容に限られない。例えば、変形例のマッサージ機１は、揉み玉のマッサージ動作パラメータを設定するとき、携帯型電子情報端末９０は、図２８に示される第３マッサージ動作パラメータ設定画面１０６を表示する。使用者１２０は、揉み玉のマッサージ回数を選択するとき、選択用のバーを移動させて好みの回数を選択する。
【０１０６】
・第６実施形態のマッサージ機１は、揉み玉のマッサージ動作パラメータを設定するとき、携帯型電子情報端末９０が図２２に示される第１マッサージ動作パラメータ設定画面１０３を表示する。ただし、マッサージ機１の構成は、第６実施形態に例示された内容に限られない。例えば、変形例のマッサージ機１は、揉み玉のマッサージ動作パラメータを設定するとき、携帯型電子情報端末９０は、図２９に示される第４マッサージ動作パラメータ設定画面１０７を表示する。使用者１２０は、揉み玉のマッサージ回数を選択するとき、画面上に表示された数字入力キーをタッチ操作する。
【０１０７】
・第６実施形態のマッサージ機１は、揉み玉のマッサージ位置を変更するとき、携帯型電子情報端末９０が図２４（ｂ）に示されるマッサージ位置指定画面１０１を表示する。ただし、マッサージ機１の構成は、第６実施形態に例示された内容に限られない。例えば、変形例のマッサージ機１は、揉み玉のマッサージ位置を変更するとき、携帯型電子情報端末９０が図３０に示されるマッサージ位置一覧画面１０８を表示する。使用者１２０は、マッサージ位置一覧の中から選択して変更する。マッサージ位置一覧が１画面内におさまらないとき、使用者１２０は、スクロール操作により必要部分を表示する。
【０１０８】
・第６実施形態のマッサージ機１は、使用者１２０の携帯型電子情報端末９０に対するタッチ操作入力により揉み玉のマッサージステップ６０および空気袋のマッサージステップ７０のマッサージ形態、マッサージ位置およびマッサージ動作パラメータを設定する。ただし、マッサージ機１の構成は、第６実施形態に例示された内容に限られない。例えば、変形例のマッサージ機１は、使用者１２０の携帯型電子情報端末９０に対する音声入力により、揉み玉のマッサージステップ６０および空気袋のマッサージステップ７０のマッサージ形態、マッサージ位置およびマッサージ動作パラメータを設定する。
【０１０９】
携帯型電子情報端末９０の入力部９３は、音声入力部を備えた音声認識機能を有する。使用者１２０は、マッサージ位置の設定を行うとき、携帯型電子情報端末９０の音声認識機能を用いる。使用者１２０は、マッサージ位置として肩を選択したいとき、携帯型電子情報端末９０の音声入力部に向かって「肩」と発声する。携帯型電子情報端末９０は、音声認識機能により肩の選択入力を認識してマッサージ位置として肩を選択する。
【０１１０】
この変形例のマッサージ機１の構成によれば、使用者１２０の手を用いたタッチ操作ができない場合においても、揉み玉のマッサージステップ６０および空気袋のマッサージステップ７０のマッサージ形態、マッサージ位置およびマッサージ動作パラメータを設定することができる。
【０１１１】
・第６実施形態のマッサージ機１は、使用者１２０の携帯型電子情報端末９０に対するタッチ操作入力により揉み玉のマッサージステップ６０および空気袋のマッサージステップ７０のマッサージ形態、マッサージ位置およびマッサージ動作パラメータの変更および設定を行う。ただし、マッサージ機１の構成は、第６実施形態に例示された内容に限られない。例えば、変形例のマッサージ機１は、使用者１２０の携帯型電子情報端末９０に対するタッチ操作入力と音声入力とを組み合わせて、揉み玉のマッサージステップ６０および空気袋のマッサージステップ７０のマッサージ形態、マッサージ位置およびマッサージ動作パラメータの変更および設定を行う。
【０１１２】
携帯型電子情報端末９０の入力部９３は、タッチ操作入力部を備えたタッチ操作機能および音声入力部を備えた音声認識機能を有する。使用者１２０は、タッチ操作入力と音声入力とを組み合わせて、揉み玉のマッサージステップ６０および空気袋のマッサージステップ７０のマッサージ形態、マッサージ位置およびマッサージ動作パラメータの変更および設定を行う。
【０１１３】
・第６実施形態のマッサージ機１は、受信部１１０および第２ケーブル１１１を有する。ただし、マッサージ機１は第６実施形態に示される構成に限られない。例えば、変形例のマッサージ機１は、装置本体１０が備える回路ブロックが受信機能を有する。
【０１１４】
この変形例のマッサージ機１の構成によれば、マッサージ機１は、図１８に示される受信部１１０が取り除かれた単純な形状としてマッサージ機１を構成することができる。
・第１実施形態のマッサージ機１は、使用者１２０が操作器２０の表示部２１に表示されるマッサージコース５０およびマッサージステップ６０に対する変更および作成を行う。ただし、マッサージ機１は第１実施形態に示される構成に限られない。例えば、変形例のマッサージ機１は、変更および作成されたマッサージコースを記憶するマッサージコース記憶部を有する。使用者は、マッサージを行うとき、マッサージコース記憶部が記憶するマッサージコースを読出して実行することができる。
【０１１５】
・第１実施形態のマッサージ機１は、使用者１２０が操作器２０の表示部２１に表示されるマッサージコース５０およびマッサージステップ６０に対する変更および作成を行う。ただし、マッサージ機１は第１実施形態に示される構成に限られない。例えば、変形例のマッサージ機１は、マッサージコース５０およびマッサージステップ６０の変更履歴を記憶する変更履歴記憶部を有する。マッサージ機１は、変更履歴記憶部の記憶情報に基づいて、使用者１２０に対して推奨マッサージコースを提示する。
【０１１６】
・第１実施形態のマッサージ機１は、使用者１２０が操作器２０の表示部２１に表示されるマッサージコース５０およびマッサージステップ６０に対する変更および作成を行う。ただし、マッサージ機１は第１実施形態に示される構成に限られない。例えば、変形例のマッサージ機１は、制御部１８が外部センサからの情報に基づいてマッサージコースを作成する。外部センサは、例えば、活動量計および体組成計とされる。制御部１８は、例えば、活動量計が計測する歩数が多いとき、使用者１２０の脚部のマッサージに重点をおいたマッサージコースを作成して使用者１２０に提示する。
【０１１７】
・第６実施形態のマッサージシステムは、使用者１２０が携帯型電子情報端末９０の表示部１００に表示されるマッサージコース５０、揉み玉のマッサージステップ６０、および空気袋のマッサージステップ７０に対する変更および作成を行う。ただし、マッサージシステムは第６実施形態に示される構成に限られない。例えば、変形例のマッサージ機１は、サーバー２１０が外部センサからの情報に基づいてマッサージコースを作成する。外部センサは、例えば、活動量計および体組成計とされる。使用者１２０は、サーバー２１０が作成したマッサージコースをダウンロードしてマッサージを実行する。
【符号の説明】
【０１１８】
１…マッサージ機、１６…揉み玉、１７…空気袋、３０…物理入力部、４０…仮想入力部、２０…操作器、２１…表示部、２２…編集部、５０…マッサージコース、９０…携帯型電子情報端末、９３…入力部、９４…通信部、１００…表示部、１１０…受信部、１３０…操作器、１４０…物理入力部、２１０…サーバー。
【図１】
2014104178.tif 000003
【図２】
2014104178.tif 000004
【図３】
2014104178.tif 000005
【図４】
2014104178.tif 000006
【図５】
2014104178.tif 000007
【図６】
2014104178.tif 000008
【図７】
2014104178.tif 000009
【図８】
2014104178.tif 000010
【図９】
2014104178.tif 000011
【図１０】
2014104178.tif 000012
【図１１】
2014104178.tif 000013
【図１２】
2014104178.tif 000014
【図１３】
2014104178.tif 000015
【図１４】
2014104178.tif 000016
【図１５】
2014104178.tif 000017
【図１６】
2014104178.tif 000018
【図１７】
2014104178.tif 000019
【図１８】
2014104178.tif 000020
【図１９】
2014104178.tif 000021
【図２０】
2014104178.tif 000022
【図２１】
2014104178.tif 000023
【図２２】
2014104178.tif 000024
【図２３】
2014104178.tif 000025
【図２４】
2014104178.tif 000026
【図２５】
2014104178.tif 000027
【図２６】
2014104178.tif 000028
【図２７】
2014104178.tif 000029
【図２８】
2014104178.tif 000030
【図２９】
2014104178.tif 000031
【図３０】
2014104178.tif 000032